(57)【要約】【課題】携帯電話をＡＣＳとして使用することにより、安価で正確な出入管理システムを得る。【解決手段】ビルの在館者に所持された携帯電話１２と、在館者に来訪予定の外来者に所持された携帯電話１３と、通信手段１１を介して携帯電話１２、１３に接続された通信インタフェース１ｄを有するホストコンピュータ１とを備えている。ホストコンピュータ１は、在館者および外来者に対する通行許可用のＩＤ情報登録機能およびセキュリティチェック機能を含む出入管理機能を有し、携帯電話１２、１３から該当ドアの通行を所望する着信があった場合に、在館者または外来者のＩＤ情報に基づいて在館者または外来者があらかじめ登録されているか否かをチェックし、在館者または外来者のチェック結果がＯＫの場合に、通行許可された該当ドアを解錠する。【選択図】図１
2006063679.tif 000002
【特許請求の範囲】
【請求項１】
ビルの在館者に所持された第１の携帯電話と、
前記在館者に来訪予定の外来者に所持された第２の携帯電話と、
通信手段を介して前記第１および第２の携帯電話に接続された通信インタフェースを有するホストコンピュータとを備え、
前記ホストコンピュータは、
前記在館者および前記外来者に対する通行許可用のＩＤ情報登録機能およびセキュリティチェック機能を含む出入管理機能を有し、
前記第１または第２の携帯電話から該当ドアの通行を所望する着信があった場合に、前記在館者または前記外来者のＩＤ情報に基づいて前記在館者または前記外来者があらかじめ登録されているか否かをチェックし、
前記在館者または前記外来者のチェック結果がＯＫの場合に、通行許可された前記該当ドアを解錠することを特徴とする出入管理システム。
【請求項２】
前記第１および前記第２の携帯電話は、撮影機能を有し、前記該当ドアの映像を前記ホストコンピュータに送信し、
前記ホストコンピュータは、前記映像に基づく前記該当ドアの情報に基づいて前記在館者または前記外来者をチェックすることを特徴とする請求項１に記載の出入管理システム。
【請求項３】
前記第１の携帯電話は、前記第２の携帯電話から着信があった場合に、前記第２の携帯電話を所持する外来者のＩＤ情報を前記ホストコンピュータに送信し、
前記ホストコンピュータは、前記第１の携帯電話から送信された前記ＩＤ情報に基づいて前記外来者をチェックし、チェック結果を前記第１の携帯電話に送信し、
前記外来者のチェック結果がＯＫの場合に、前記第１の携帯電話は、前記外来者の来館日時情報を前記ホストコンピュータに送信し、
前記ホストコンピュータは、前記外来者に関する既知情報および前記来館日時情報を自動的に登録することを特徴とする請求項１または請求項２に記載の出入管理システム。
【請求項４】
前記ＩＤ情報は、前記外来者のＩＤ番号と、前記外来者が通行する予定のドア情報とを含み、
前記ホストコンピュータは、前記第１の携帯電話から入力される前記外来者のＩＤ番号および前記ドア情報に基づいて、前記外来者が通行する予定の該当ドアの開閉を制御することを特徴とする請求項３に記載の出入管理システム。
【請求項５】
前記第１の携帯電話は、前記外来者のチェック結果がＯＫの場合に、前記第２の携帯電話を所持する外来者に対して通行許可を与えることを特徴とする請求項３または請求項４に記載の出入管理システム。
【請求項６】
前記第１の携帯電話を所持する在館者は、前記第２の携帯電話から着信があった場合に、前記第２の携帯電話を所持する外来者の訪問を受けるか否かを判定し、前記外来者の訪問を受けると判定した場合のみに、前記外来者に対して通行許可を与えることを特徴とする請求項３から請求項５までのいずれか１項に記載の出入管理システム。
【請求項７】
前記通信手段に接続されたパソコンを備え、
前記パソコンは、前記外来者のＩＤ情報をホストコンピュータに送信することを特徴とする請求項１から請求項６までのいずれか１項に記載の出入管理システム。
【発明の詳細な説明】
【技術分野】
【０００１】
この発明は、携帯電話を用いた出入管理システムに関し、特にＩＤカードの代わりに携帯電話を出入通行用のＡＣＳとして使用することにより、安価なシステムを実現した新規な技術改良に関するものである。
【背景技術】
【０００２】
従来の出入管理システムにおいては、通常の来館者に対し、ＡＣＳ（Ａｃｃｅｓｓ  Ｃｏｎｔｒｏｌ  Ｓｙｓｔｅｍ：出入制御システム）用の臨時のＩＤカードを受付で発行している（たとえば、特許文献１参照）。
この場合、ドアごとにＩＤ判別装置が設けられており、ホストコンピュータで登録されたＩＤカードを所持する各来館者は、通行ドアごとに設置されたＩＤ判別装置（ＩＤカードリーダ）とＩＤカードとの間で通信を行い、ＩＤ判別装置は、該当ドアの通行許可を判別し、判別結果がＯＫの場合に解錠するようになっている。
【０００３】
【特許文献１】特開２００３−３０５９１号公報
【発明の開示】
【発明が解決しようとする課題】
【０００４】
従来の出入管理システムでは、ＩＤカードおよび判別装置を介して、人格チェックや有効ルートのチェックとともに、ドアごとに有効期限などの煩雑なチェックを行う手間が必要となり、判別設備および新規登録作業のための労力が多大となって、コストアップを招くうえ、煩雑な管理手続きによりミスを生じ易いという課題があった。
【０００５】
この発明は、ＩＤカードの代わりに携帯電話を出入通行用のＡＣＳとして使用するとともに、ドアごとのＩＤ判別装置を不要として、在館者に訪問予定の外来者が在館者に電話をかけ、コールされた在館者がホストコンピュータに電話し、ホストコンピュータが外来者をチェックすることにより、訪問時間情報のみを携帯電話からホストコンピュータに入力することにより、他の通行可能なルート（自分の部屋、ロビーなど）や有効期限、相手の電話番号（ＩＤ番号）を自動的に登録可能にすることにより、安価で正確な出入管理システムを得ることを目的とする。
【課題を解決するための手段】
【０００６】
この発明による出入管理システムは、ビルの在館者に所持された第１の携帯電話と、在館者に来訪予定の外来者に所持された第２の携帯電話と、通信手段を介して第１および第２の携帯電話に接続された通信インタフェースを有するホストコンピュータとを備え、ホストコンピュータは、在館者および外来者に対する通行許可用のＩＤ情報登録機能およびセキュリティチェック機能を含む出入管理機能を有し、第１または第２の携帯電話から該当ドアの通行を所望する着信があった場合に、在館者または外来者のＩＤ情報に基づいて在館者または外来者があらかじめ登録されているか否かをチェックし、在館者または外来者のチェック結果がＯＫの場合に、通行許可された該当ドアを解錠するものである。
また、第１の携帯電話は、第２の携帯電話から着信があった場合に、第２の携帯電話を所持する外来者のＩＤ情報をホストコンピュータに送信し、ホストコンピュータは、第１の携帯電話から送信されたＩＤ情報に基づいて外来者をチェックし、チェック結果を第１の携帯電話に送信し、外来者のチェック結果がＯＫの場合に、第１の携帯電話は、外来者の来館日時情報をホストコンピュータに送信し、ホストコンピュータは、外来者に関する既知情報および来館日時情報を自動的に登録するものである。
【発明の効果】
【０００７】
この発明によれば、携帯電話の通信機能をＡＣＳに適用することによりＩＤカードが不要となり、在館者とホストコンピュータとの間の通信によりセキュリティチェックが行われ、通行を所望する該当ドアの通行可否を判定することにより、安価で正確な出入管理システムを実現することができる。
また、在館者が事前に外来者（来訪者）から電話を受けて、ホストコンピュータとの間の通信により外来者をチェックし、チェック結果がＯＫの場合に通行を所望する外来者のＩＤ登録および通行許可登録を自動的に行うことにより、安価で正確な出入管理システムを実現することができる。
【発明を実施するための最良の形態】
【０００８】
実施の形態１．
以下、図面を参照しながら、この発明の実施の形態１について詳細に説明する。
図１はこの発明の実施の形態１に係る出入管理システムを概略的に示すブロック図であり、図２は図１の出入管理システムが適用されるビルの構成例を平面的に示す説明図である。
【０００９】
また、図３は図１内のホストコンピュータで管理されるＩＤ情報を示す説明図、図４はホストコンピュータで管理される通行許可日時情報を示す説明図である。
さらに、図５はホストコンピュータによるデータ登録処理を示すフローチャート、図６はホストコンピュータによるドア開閉処理を示すフローチャート、図７はこの発明の実施の形態１に係る出入管理システムによる処理手順を示すフローチャートである。
【００１０】
図１において、管理センタ側のホストコンピュータ１は、インタネットなどの通信手段１１を介して、在館者に個別に所持された複数の携帯電話１２、および、外来者に個別に所持された複数の携帯電話１３に接続されている。
【００１１】
ローカル側の携帯電話１２、１３は、それぞれ、送受信機能、撮影機能および報知機能（表示部、スピーカ）を有している。
在館者の携帯電話１２は、インタネット（通信手段）１１を介して、外来者の携帯電話１３との間で通信を行う。
【００１２】
ホストコンピュータ１は、ＣＰＵ１ａ、ＲＯＭ１ｂ、ＲＡＭ１ｃ、通信インタフェース１ｄ、ＣＲＴ（表示装置）１ｆ、プリンタ１ｇ、キーボード（操作盤）１ｈおよび入出力インタフェース１ｅを備えている。
ＣＰＵ１ａは、出入管理システムの本体を構成しており、在館者および外来者の出入管理機能を有する。
ホストコンピュータ１の出入管理機能は、後述するように、在館者および外来者に対する通行許可用のＩＤ情報登録機能およびセキュリティチェック機能などを含む。
【００１３】
ＲＯＭ１ｂは、ＣＰＵ１ａの制御処理プログラムなどが格納されている。
ＲＡＭ１ｃは、ＣＰＵ１ａによる各種演算処理結果などがリアルタイムに格納される。
通信インタフェース１ｄは、インタネット（通信手段）１１を介して、在館者の携帯電話１２または外来者の携帯電話１３との間で各種データなどの送受信を行う。
【００１４】
ＣＲＴ１ｆは、必要に応じて、携帯電話１２との間の送受信データを表示し、プリンタ１ｇは、必要に応じて、ＣＲＴ１ｆ上の表示データなどを印字出力する。
キーボード１ｈは、ホストコンピュータ１のオペレータに対するインタフェースとして機能し、管理センサのオペレータにより適宜操作される。
入出力インタフェース１ｅは、ビル内の電気錠Ｅ、Ｅａ〜Ｅｄ（図２参照）などに接続されている。
【００１５】
図１において、ホストコンピュータ１は、在館者の携帯電話１２から該当ドアの通行を所望する着信があった場合に、在館者のＩＤ情報に基づいて、在館者があらかじめ登録されているか否かをチェックし、チェック結果がＯＫ（ＩＤ情報がＯＫで、通行条件も正しい）の場合に、通行許可された該当ドアを解錠する。
【００１６】
たとえば、あらかじめ登録された在館者が、通行を所望する該当ドアの通行許可を得る場合には、在館者の携帯電話１２からホストコンピュータ１に電話をかけた時点で、携帯電話１２の電話番号がＩＤ番号として機能する。また、携帯電話１２で撮影された該当ドアの映像は、ホストコンピュータ１に送信される。
これにより、ホストコンピュータ１は、該当ドアの番号またはドアの名前などから通行許可を判別することができる。
【００１７】
また、在館者の携帯電話１２は、外来者の携帯電話１３から着信があった場合に、在館者の入力操作により、外来者のＩＤ情報をホストコンピュータ１に送信する。
これに応答して、ホストコンピュータ１は、携帯電話１２から送信されたＩＤ情報に基づいて外来者をチェックし、チェック結果を携帯電話１２に送信する。
【００１８】
ホストコンピュータ１によるチェック結果がＯＫの場合に、続いて、携帯電話１２は、在館者の入力操作により、外来者の来館日時情報をホストコンピュータ１に送信する。
これに応答して、ホストコンピュータ１は、外来者に関する既知情報と携帯電話１２から入力された来館日時情報とを自動的に登録する。
すなわち、ホストコンピュータ１による外来者のチェック結果がＯＫの場合に、在館者の操作により、携帯電話１２は、携帯電話１３の所持者（外来者）に対して通行許可を与えるようになっている。
【００１９】
ＩＤ情報は、たとえば、外来者のＩＤ番号と、外来者が通行する予定のドア情報とを含み、ホストコンピュータ１は、携帯電話１２から入力される外来者のＩＤ番号およびドア情報に基づいて、外来者が通行する予定のドアの開閉を制御する。
【００２０】
図１のように、携帯電話１２、１３のみを用いて、携帯電話１２と双方向通信を行うホストコンピュータ１を設けることにより、ビルに訪問予定の外来者を新たに登録するためのオペレータおよび作業が不要となり、ビルに関する出入管理機能を安価に且つ正確に実現することができる。
【００２１】
図２において、ビル２内の各区画は、たとえば４つの部屋２１ａ〜２１ｄに割り当てられている。
ビル２の出入口には、電気錠Ｅを有するドア２２が設けられ、同様に、各部屋２１ａ〜２１ｄの各出入口には、それぞれ、電気錠Ｅａ〜Ｅｄを有するドア２２ａ〜２２ｄが設けられている。
各電気錠Ｅ、Ｅａ〜Ｅｄは、後述するように、ホストコンピュータ１により開閉制御される。
【００２２】
図３において、ホストコンピュータ１は、各在館者１〜Ｎごとに、および、各外来者１〜Ｍごとに、ＩＤ情報を管理している。
ＩＤ情報には、氏名、携帯電話番号、ＩＤ番号、有効期限（年月日）、ドアごとの通行許可ドアおよび通行許可時間（時分）などが含まれる。
また、図４において、ホストコンピュータ１は、ホストコンピュータ１は、通行許可日時情報として、（ａ）来館日、（ｂ）来館時刻、（ｃ）退館時刻を管理している。
【００２３】
次に、図２〜図４とともに、図５〜図７のフローチャートを参照しながら、図１に示したこの発明の実施の形態１による具体的な動作について説明する。
図５〜図７は、図１内のホストコンピュータ１による処理手順を示している。
図５において、まず、ホストコンピュータ１において、管理者（オペレータ）は、通行許可が認められた在館者（１〜Ｎ）のＩＤ情報（図３参照）をすべて登録する（ステップＳ５０）。
【００２４】
なお、外来者（外１〜外Ｍ）のＩＤ登録は、オペレータによる操作ではなく、後述する処理手順（図７参照）によって自動的に行われる。
また、各携帯電話１２、１３の電話番号や通行ルートなどは、在館者がデータ入力しなくても、携帯電話１２、１３の所持データなどから、事前に自動登録することができる。
【００２５】
また、図３に示した携帯電話１２、１３の電話番号およびＩＤ番号は、同一機能として取り扱われるので、いずれか一方のみを用いてもよい。
通常、携帯電話番号は桁数（データ長）が多いので、メモリ容量を節約するためにＩＤ番号が用いられる。
【００２６】
最初に、図６を参照しながら、ビル２の在館者に対する一般的な通行許可処理について説明する。
図６において、ホストコンピュータ１は、まず、在館者の携帯電話１２から該当ドアの通行を所望する着信があったか否かを判定し、携帯電話１２からの着信を待機する（ステップＳ６１）。
ここで、携帯電話１２を所持した在館者が、ホストコンピュータ１に電話をかけると、ステップＳ６１において、着信有り（すなわち、ＹＥＳ）と判定される。
【００２７】
ステップＳ６１において、着信有り（すなわち、ＹＥＳ）と判定されれば、続いて、通行したい該当ドアの情報が携帯電話１２から入力（受信）されたか否かを判定し（ステップＳ６２）、ドア情報が受信されていない（すなわち、ＮＯ）と判定されれば、ステップＳ６１に戻る。
【００２８】
なお、ドア情報は、たとえば、図２内の各ドア２２、２２ａ〜２２ｄのドア番号、各電気錠Ｅ、Ｅａ〜Ｅｄの錠記号を、在館者が携帯電話１２上でキー操作することによって入力される。または、各ドア２２、２２ａ〜２２ｄの映像を、在館者が携帯電話１２で撮影することによって入力される。
【００２９】
一方、携帯電話１２の所持者が通行を所望するドア情報（キー入力によるドア番号、または、撮影したドア映像）を入力し、ステップＳ６２において、ドア情報が受信された（すなわち、ＹＥＳ）と判定されれば、続いて、ホストコンピュータ１は、セキュリティチェックを行い、携帯電話１２からのＩＤ情報がＯＫ（あらかじめ登録されている）か否かを判定する（ステップＳ６３）。
【００３０】
ステップＳ６３において、在館者のＩＤ情報がＮＧ（すなわち、ＮＯ）と判定されれば、ステップＳ６１に戻り、ＩＤ情報がＯＫ（すなわち、ＹＥＳ）と判定されれば、当該ドアの電気錠を一時的に（通行するのに十分な一定時間だけ）解錠し（ステップＳ６４）、図６の処理ルーチンを終了する。
これにより、在館者は、ドアごとの判別装置との間で通信するＩＤカードを用いることなく、判別装置所望の当該ドアを通行することができる。
【００３１】
次に、図７を参照しながら、在館者に対して訪問予定の外来者に対する通行許可処理について説明する。
この場合、在館者は、訪問予定の外来者からの電話受信時に、外来者のＩＤ情報をホストコンピュータ１に送信し、ホストコンピュータ１との間の通信によりセキュリティチェックを行うとともに、外来者のＩＤ登録および通行許可登録を自動的に行う。
【００３２】
図７において、まず、携帯電話１２を所持する在館者は、外来者の携帯電話１３から着信があったか否かを判定し、携帯電話１３からの着信を待機する（ステップＳ７１）。
ここで、携帯電話１３を所持した外来者が、在館者の携帯電話１２に電話をかけると、ステップＳ７１において、着信有り（すなわち、ＹＥＳ）と判定される。
【００３３】
ステップＳ７１において、外来者から着信有り（すなわち、ＹＥＳ）と判定されれば、続いて、外来者を認識した在館者は、外来者の訪問を受けるべき（外来者が訪問を認可すべき人物である）か否かを判定し（ステップＳ７２）、訪問を受けるべきではない（すなわち、ＮＯ）と判定されれば、ステップＳ７１に戻る。
【００３４】
一方、ステップＳ７２において、外来者の訪問を受ける（すなわち、ＹＥＳ）と判定されれば、在館者は、携帯電話１２、１３の電話通信により、外来者の訪問日時を聞き、外来者に対して具体的な入館方法を教えるとともに、携帯電話１２からホストコンピュータ１に電話をかけて、外来者のセキュリティ情報（名前、暗証番号など）を送信する（ステップＳ７３）。
これにより、ホストコンピュータ１は、外来者のセキュリティチェックを行い、チェック結果を携帯電話１２に送信して表示させる。
【００３５】
続いて、在館者は、携帯電話１２上で、ホストコンピュータ１による外来者のチェック結果がＯＫか否かを判定し（ステップＳ７４）、ＮＧ（すなわち、ＮＯ）と判定されれば、ステップＳ７１に戻る。
なお、ステップＳ７４におけるセキュリティチェックは、通常のパソコン操作におけるログインと同程度であり、名前、暗証番号などのチェックが行われる。
【００３６】
一方、ステップＳ７４において、外来者のチェック結果がＯＫ（すなわち、ＹＥＳ）と判定されれば、携帯電話１２からホストコンピュータ１に外来者の来館日および入退館時刻を入力する（ステップＳ７５）。
なお、来館日は、有効期限情報として取り扱われ、入退館時刻は、通行許可時間として取り扱われる。
【００３７】
また、前述のように、外来者の携帯電話１３の電話番号や通行ルートに関する情報は、在館者の操作入力がなくても、あらかじめ分かっている既知情報である。
通行ルート情報としては、たとえば図２において、ビル２の出入口のドア２２から、自分の部屋（２２ａ〜２２ｄのいずれか）に入るまでに通行すべきすべてのドア情報が含まれる。
【００３８】
これにより、ホストコンピュータ１は、図３のＩＤ情報リストにおいて、外来者の空きスペースに、外来者に関する既知情報と、携帯電話１２から入力された情報とを、自動的に登録して（ステップＳ７６）、図７の処理ルーチンを終了する。
なお、既知情報としては、電話を受けた携帯電話１３の番号、ＩＤ番号、通行許可ドア（ビル２の出入口のドア２２から在館者の部屋に到達するまでに通行すべきドア）があげられる。
【００３９】
その後、ホストコンピュータ１は、前述（図６参照）と同様の通常処理手順により、外来者の通行を許可し、該当ドアを解錠することになる。
すなわち、外来者は、前述の在館者と同様に、携帯電話１３からホストコンピュータ１に電話をかけて、通行を所望する該当ドアの番号（記号）または映像を送信し、ホストコンピュータ１は、携帯電話１３のＩＤ情報（電話番号）がＯＫであって、且つ通行条件も正しい場合に、該当ドアの電気錠を一時的に解錠する。
【００４０】
このように、来館者ごとのＩＤカードおよびドアごとのＩＤ判別装置を不要として、ホストコンピュータ１との間で通信を行う携帯電話１２、１３を用いることにより、一時的に入館予定の外来者に対する入館可否の判断、ならびに、外来者のＩＤ登録および許可登録が、外来者から電話を受けた在館者によって電話中に行われるので、セキュリティ性を損なうことなく、安価で且つ正確な入退管理システムを実現することができる。
【００４１】
なお、上記実施の形態１では、外来者に関するＩＤ情報の一部を既知情報としたが、外来者に関するすべてのＩＤ情報を携帯電話１２から入力してもよい。
また、ホストコンピュータ１に対して、通信手段（インタネット）１１に接続された携帯電話１２のみから外来者を登録したが、通信手段（インタネット）１１に接続されたパソコン（図示せず）からも登録可能に構成してもよい。
【００４２】
また、ビル２の在館者としては、あらかじめ許可登録された人物グループのみに限定してもよく、または、ＩＤ番号が許可登録されているすべての人物を対象としてもよい。
また、外来者に対しては、ビル２の出入口のドア２２のみを通行許可し、各部屋２１ａ〜２２ｄへの通行を禁止してもよい。
【００４３】
また、外来者がビル２の在館者に訪問してきた場合に、訪問対象となる在館者自身が通行するものとして、携帯電話１２からホストコンピュータ１に通信を行い、該当ドアを解錠させてもよい。
ただし、この場合、アンチパスバックチェックは実行されないものとする。
【００４４】
また、あらかじめ許可登録された外来者は、実際にビル２に来館したときに、携帯電話１３から訪問対象の在館者の携帯電話１２に電話をかけて、在館者の携帯電話１２から通行許可が得られたときのみに、入館できるようにしてもよい。
【００４５】
さらに、外来者の訪問日時情報として、来館日とともに入館時刻および退館時刻（図４参照）を入力管理したが、来館時刻のみを入力管理して、退館時刻は、来館時刻から２時間後に自動的に限定してもよい。
【図面の簡単な説明】
【００４６】
【図１】この発明の実施の形態１に係る出入管理システムを概略的に示すブロック図である。
【図２】図１の出入管理システムが適用されるビルの構成を平面的に示す説明図である。
【図３】図１内のホストコンピュータで管理されるＩＤ情報を示す説明図である。
【図４】図１内のホストコンピュータで管理される通行許可日時情報を示す説明図である。
【図５】この発明の実施の形態１に係る出入管理システムのホストコンピュータによるデータ登録処理を示すフローチャートである。
【図６】この発明の実施の形態１に係る出入管理システムのホストコンピュータによるドア開閉処理を示すフローチャートである。
【図７】この発明の実施の形態１に係る出入管理システムによる処理手順を示すフローチャートである。
【符号の説明】
【００４７】
１  ホストコンピュータ、１ａ  ＣＰＵ、１ｂ  ＲＯＭ、１ｃ  ＲＡＭ、１ｄ  通信インタフェース、１ｆ  ＣＲＴ、１ｈ  キーボード、１ｅ  入出力インタフェース、１１  通信手段、１２  在館者の携帯電話、１３  外来者の携帯電話、２  ビル、２１ａ〜２１ｄ  部屋、２２、２２ａ〜２２ｄ  ドア、Ｅ、Ｅａ〜Ｅｄ  電気錠。
【図１】
2006063679.tif 000003
【図２】
2006063679.tif 000004
【図３】
2006063679.tif 000005
【図４】
2006063679.tif 000006
【図５】
2006063679.tif 000007
【図６】
2006063679.tif 000008
【図７】
2006063679.tif 000009